(57)【要約】【課題】  プラスチック成形容器と台紙との組付けが簡単な構造で為され、包装対象物の収納及び取出しが容易でかつ包装対象物の保持が確実に行える。【解決手段】  平坦部の一端部は、一対の切込み部の一端部に嵌入しこの一端部に係合する第一の抜止め部を有し、平坦部の他端部は、一対の切込み部の他端部に嵌入しこの他端部に係合する第二の抜止め部を有し、台紙は、一対の切込み部内に差し込まれた平坦部の周囲に位置する保持部を有し、一対の切込み部の一端部は、平坦部の差込み完了時に、平坦部の一端部が一対の切込み部の一端部から抜け出ないように第一の抜止め部を係止する第一の抜止め防止部を有し、一対の切込み部の他端部は、平坦部の差込み完了時に、平坦部の他端部が一対の切込み部の他端部から抜け出ないように第二の抜止め部を係止する第二の抜止め防止部を有する。【選択図】      図１
2005029244.tif 000002
【特許請求の範囲】
【請求項１】
包装対象物を収納する収納部を有するとともにこの収納部の周縁に平坦部を有し、収納した前記包装対象物を透視可能なプラスチック成形容器と、
前記プラスチック成形容器の平坦部を差し込む一対の切り込み部を有し、前記プラスチック成形容器の開口部を封鎖する台紙とを備え、
前記プラスチック成形容器の平坦部の一端部は、前記一対の切り込み部の一端部に嵌入しこの一端部に係合する第一の抜け止め部を有し、
前記プラスチック成形容器の平坦部の他端部は、前記一対の切り込み部の他端部に嵌入しこの他端部に係合する第二の抜け止め部を有し、
前記台紙は、前記一対の切り込み部内に差し込まれた前記プラスチック成形容器の平坦部の周囲に位置する保持部を有し、
前記一対の切り込み部の一端部は、前記平坦部の前記一対の切り込み部内への差し込み完了時に、前記平坦部の一端部が前記一対の切り込み部の一端部から抜け出ないように前記第一の抜け止め部を係止する第一の抜け止め防止部を有し、
前記一対の切り込み部の他端部は、前記平坦部の前記一対の切り込み部内への差し込み完了時に、前記平坦部の他端部が前記一対の切り込み部の他端部から抜け出ないように前記第二の抜け止め部を係止する第２の抜け止め防止部を有している
ことを特徴とする包装容器。
【請求項２】
請求項１記載の包装容器において、
前記第一の抜け止め部は、前記収納部を挟んで対向する両端部に、前記平坦部の軸線方向に向かって突出するように形成した２つの突起部と、前記２つの突起部の対向する根本部から相互に中心方向に向かって形成した２つの膨出部とを有し、
前記第二の抜け止め部は、前記収納部を挟んで対向する両端部に、前記平坦部の軸線方向に向かって突出するように形成した２つの突起部を有し、
前記台紙は、表紙と裏紙とから成り、
前記一対の切り込み部は、前記表紙に形成され、前記平坦部の差し込み方向に沿って平行して形成した２つの切り込みと、両切り込みの他端部から外方に相互に離反する方向に形成した２つの枝状の切り込みとを有し、
前記２つの切り込み間は、前記表紙の裏面と前記裏紙とを、前記２つの切り込みと平行する線上に沿ってのり付けすることにより、前記プラスチック成形容器の開口部の封鎖する封鎖部を有し、
前記保持部は、前記２つの切り込みと平行する前記表紙の両縁部と前記２つの枝状の切り込みとの間の前記表紙の裏面と前記裏紙とを、前記２つの切り込みと平行する線上に沿ってのり付けすることにより、前記２つの切り込みと前記２つの枝状の切り込みとでそれぞれ連なる前記表紙で形成される対向する２つの覆い部を有し、
前記第一の抜け止め防止部は、前記一対の切り込み部の終端部において相互に前記一対の切り込み部に向かって形成した２つの切り込み部を有し、
前記第二の抜け止め防止部は、前記平坦部の前記一対の切り込み部内への差し込み完了時に、前記２つの枝状の切り込み内に嵌入する前記２つの突起部を、前記一対の切り込み部から抜け出ないように前記２つの突起部に当接する前記２つの枝状の切り込み縁部を有し、
前記プラスチック成形容器に抜け方向に力が掛かると、前記第一の抜け止め部の前記２つの膨出部が前記第一の抜け止め防止部の前記２つの切り込み部に係止されるとともに、前記第二の抜け止め部の前記２つの突起部が前記第二の抜け止め防止部の前記２つの枝状の切り込み縁部に係合し、前記プラスチック成形容器が前記一対の切り込み部から抜け出ないように阻止する
ことを特徴とする包装容器。
【請求項３】
請求項２記載の包装容器において、
前記第二の抜け止め部は、前記収納部を挟んで対向する両端部に、前記平坦部の軸線方向に向かって突出するように形成した２つの突起部と、前記２つの突起部の斜面にそれぞれ形成した２つの凹部とを有し、
前記第２の抜け止め防止部は、前記平坦部の前記一対の切り込み部内への差し込み完了時に、前記２つの枝状の切り込み内に嵌入する前記２つの突起部を、前記一対の切り込み部から抜け出ないように前記２つの突起部に当接する前記２つの枝状の切り込み縁部を有し、
前記プラスチック成形容器に抜け方向に力が掛かると、前記第一の抜け止め部の前記２つの膨出部が前記第一の抜け止め防止部の前記２つの切り込み部に係止されるとともに、前記第二の抜け止め部の前記２つの突起部の前記２つの凹部が前記第二の抜け止め防止部の前記２つの枝状の切り込み縁部に係合し、前記プラスチック成形容器が前記一対の切り込み部から抜け出ないように阻止する
ことを特徴とする包装容器。
【発明の詳細な説明】
【技術分野】
【０００１】
本発明は、包装対象物を収納した透視可能なプラスチック成形容器の開口部を台紙によって封鎖して成る包装容器に関する。
【背景技術】
【０００２】
従来、例えば、乾電池、豆電球、スイッチ、その他の電子部品、電気製品、機械部品、機械製品、歯ブラシ、文房具などを店頭販売するために、透視可能なプラスチック成形容器内に収納した包装容器が知られている（例えば、特許文献１〜５参照）。
また、透明なプラスチック成形容器の平坦部を台紙の切込みに挿入する包装容器が知られている（例えば、特許文献６参照）。
【特許文献１】特開平８−１９２８７０号公報
【特許文献２】特開平８−２６７５６０号公報
【特許文献３】特開２００１−１０６６５号公報
【特許文献４】特開２００１−３０１８２３号公報
【特許文献５】特開２００２−１２８１４０号公報
【特許文献６】特開平１１−１７１２４３号公報
【発明の開示】
【発明が解決しようとする課題】
【０００３】
しかし、特許文献１，２，３では、透視可能なプラスチック成形容器が台紙に接着されているため、包装対象物を取り出し辛いという問題があった。また、特許文献４，５に示すように、透視可能なプラスチック成形容器を台紙に接着しないものでは、透視可能なプラスチック成形容器および台紙に複雑な係止構造を設ける必要があり、コスト高となるという問題があった。さらに、透視可能なプラスチック成形容器を台紙に接着しないものでは、例えば、ホッチキス（商品名）によって透視可能なプラスチック成形容器を台紙に固定するものが知られているが、この場合にも、包装対象物を取り出し辛いという問題があった。
【０００４】
また、特許文献６では、台紙が表紙と裏紙とを分割線で繋がる１枚のシートで構成しているので、台紙への印刷が容易になる点で優れているが、プラスチック成形容器を台紙の切込みに挿入することによって支持しているので、プラスチック成形容器が簡単に脱落してしまうという不具合がある。なお、特許文献６の実施形態では、その脱落防止のために、プラスチック成形容器の平坦部の上下または上部を、台紙に設けた別の切込みを引き上げて固定することを開示しているが、これでは台紙を折り曲げる必要があり、台紙を傷める上にプラスチック成形容器を確実に固定することができないという問題がある。
【０００５】
本発明は斯かる従来の問題点を解決するために為されたもので、その目的は、プラスチック成形容器と台紙との組付けが簡単な構造で為されるとともに、プラスチック成形容器への包装対象物の収納および取り出しが容易でかつプラスチック成形容器内での包装対象物の保持が確実に行える包装容器を提供することにある。
【課題を解決するための手段】
【０００６】
請求項１に係る発明は、包装対象物を収納する収納部を有するとともにこの収納部の周縁に平坦部を有し、収納した前記包装対象物を透視可能なプラスチック成形容器と、前記プラスチック成形容器の平坦部を差し込む一対の切込み部を有し、前記プラスチック成形容器の開口部を封鎖する台紙とを備え、前記プラスチック成形容器の平坦部の一端部は、前記一対の切込み部の一端部に嵌入しこの一端部に係合する第一の抜止め部を有し、前記プラスチック成形容器の平坦部の他端部は、前記一対の切込み部の他端部に嵌入しこの他端部に係合する第二の抜止め部を有し、前記台紙は、前記一対の切込み部内に差し込まれた前記プラスチック成形容器の平坦部の周囲に位置する保持部を有し、前記一対の切込み部の一端部は、前記平坦部の前記一対の切込み部内への差込み完了時に、前記平坦部の一端部が前記一対の切込み部の一端部から抜け出ないように前記第一の抜止め部を係止する第一の抜止め防止部を有し、前記一対の切込み部の他端部は、前記平坦部の前記一対の切込み部内への差込み完了時に、前記平坦部の他端部が前記一対の切込み部の他端部から抜け出ないように前記第二の抜止め部を係止する第二の抜止め防止部を有していることを特徴とする。
【０００７】
請求項２に係る発明は、請求項１記載の包装容器において、前記第一の抜止め部は、前記収納部を挟んで対向する両端部に、前記平坦部の軸線方向に向かって突出するように形成した２つの突起部と、前記２つの突起部の対向する根本部から相互に中心方向に向かって形成した２つの膨出部とを有し、前記第二の抜止め部は、前記収納部を挟んで対向する両端部に、前記平坦部の軸線方向に向かって突出するように形成した２つの突起部を有し、前記台紙は、表紙と裏紙とから成り、前記一対の切込み部は、前記表紙に形成され、前記平坦部の差込み方向に沿って平行して形成した２つの切込みと、両切込みの他端部から外方に相互に離反する方向に形成した２つの枝状の切込みとを有し、前記２つの切込み間は、前記表紙の裏面と前記裏紙とを、前記２つの切込みと平行する線上に沿ってのり付けすることにより、前記プラスチック成形容器の開口部の封鎖する封鎖部を有し、前記保持部は、前記２つの切込みと平行する前記表紙の両縁部と前記２つの枝状の切込みとの間の前記表紙の裏面と前記裏紙とを、前記２つの切込みと平行する線上に沿ってのり付けすることにより、前記２つの切込みと前記２つの枝状の切込みとでそれぞれ連なる前記表紙で形成される対向する２つの覆い部を有し、前記第一の抜止め防止部は、前記一対の切込み部の終端部において相互に前記一対の切込み部に向かって形成した２つの切込み部を有し、前記第二の抜止め防止部は、前記平坦部の前記一対の切込み部内への差込み完了時に、前記２つの枝状の切込み内に嵌入する前記２つの突起部を、前記一対の切込み部から抜け出ないように前記２つの突起部に当接する前記２つの枝状の切込み縁部を有し、前記プラスチック成形容器に抜け方向に力が掛かると、前記第一の抜止め部の前記２つの膨出部が前記第一の抜止め防止部の前記２つの切込み部に係止されるとともに、前記第二の抜止め部の前記２つの突起部が前記第二の抜止め防止部の前記２つの枝状の切込み縁部に係合し、前記プラスチック成形容器が前記一対の切込み部から抜け出ないように阻止することを特徴とする。
【０００８】
請求項３に係る発明は、請求項２記載の包装容器において、前記第二の抜止め部は、前記収納部を挟んで対向する両端部に、前記平坦部の軸線方向に向かって突出するように形成した２つの突起部と、前記２つの突起部の斜面にそれぞれ形成した２つの凹部とを有し、前記第二の抜止め防止部は、前記平坦部の前記一対の切込み部内への差込み完了時に、前記２つの枝状の切込み内に嵌入する前記２つの突起部を、前記一対の切込み部から抜け出ないように前記２つの突起部に当接する前記２つの枝状の切込み縁部を有し、前記プラスチック成形容器に抜け方向に力が掛かると、前記第一の抜止め部の前記２つの膨出部が前記第一の抜止め防止部の前記２つの切込み部に係止されるとともに、前記第二の抜止め部の前記２つの突起部の前記２つの凹部が前記第二の抜止め防止部の前記２つの枝状の切込み縁部に係合し、前記プラスチック成形容器が前記一対の切込み部から抜け出ないように阻止することを特徴とする。
【発明の効果】
【０００９】
本発明によれば、プラスチック成形容器を台紙に差し込んで係止することによって達成されるので、プラスチック成形容器と台紙との組付け構造が簡単である。また、本発明によれば、プラスチック成形容器を台紙に差し込んで係止されるので、プラスチック成形容器への包装対象物の収納および取り出しが容易に行える。また、本発明によれば、プラスチック成形容器が抜止め防止部を介して台紙に係止されているので、プラスチック成形容器内の包装対象物が確実に保持され、安定して展示することができる。
【発明を実施するための最良の形態】
【００１０】
以下、本発明の実施形態を図面に基づいて説明する。
〔第一実施形態〕
図１ないし図６は、本発明の第一実施形態に係る包装容器を示す（請求項１，２に対応する）。
本実施形態に係る包装容器１は、任意の包装対象物（図示せず）を収納する収納部１１を有するとともにこの収納部１１の周縁に平坦部１２を有し、収納した包装対象物を透視可能なプラスチック成形容器１０と、このプラスチック成形容器１０の平坦部１２を差し込む一対の切込み部２１を有し、プラスチック成形容器１０の開口部１５を封鎖する台紙２０とで構成されている。
【００１１】
プラスチック成形容器１０の周縁に形成された平坦部１２は、台紙２０への差込み時の先端となる一端部１２Ａに、一対の切込み部２１の一端部に嵌入しこの一端部に係合する第一の抜止め部１３を有する。この第一の抜止め部１３は、収納部１１を挟んで対向する両端部に、平坦部１２の軸線１２Ｘ方向に向かって突出するように形成した２つの突起部１３ａ，１３ａと、２つの突起部１３ａ，１３ａの対向する根本部１３ｂ，１３ｂから相互に中心方向に向かって形成した２つの膨出部１３ｃ，１３ｃとを有する。
【００１２】
ここで、２つの膨出部１３ｃ，１３ｃ間の距離Ｌ２は、根本部１３ｂ，１３ｂ間の距離Ｌ１より小さい。根本部１３ｂ，１３ｂ間の距離Ｌ１は、後述する一対の切込み部２１間の距離Ｌ３よりわずかに小さい。従って、２つの膨出部１３ｃ，１３ｃ間の距離Ｌ２が一対の切込み部２１の終端部における距離Ｌ３より小さいので、後述するように、プラスチック成形容器１０の平坦部１２が一対の切込み部２１に差し込まれて２つの膨出部１３ｃ，１３ｃがその終端部まで来ると、２つの膨出部１３ｃ，１３ｃはその終端部にお根本部１３ｂ，１３ｂが終端部に嵌り込むようにして固定されることとなる。
【００１３】
また、プラスチック成形容器１０の周縁に形成された平坦部１２は、台紙２０への差込み時の後端となる他端部１２Ｂに、一対の切込み部２１の他端部に嵌入しこの他端部に係合する第二の抜止め部１４を有する。この第二の抜止め部１４は、収納部１１を挟んで対向する両端部に、平坦部１２の軸線１２Ｘ方向に向かって突出するように形成した２つの突起部１４ａ，１４ａを有する。
【００１４】
台紙２０は、表紙２０Ａと裏紙２０Ｂとから成り、表紙２０Ａには、一対の切込み部２１，２１と、一対の切込み部２１，２１内に差し込まれたプラスチック成形容器１０の平坦部１２の周囲に位置する保持部２２，２２を有し、裏紙２０Ｂには、収納部１１から包装対象物（図示せず）を取り出すための切込み線から成る包装対象物取り出し部２３が形成されている。また、表紙２０Ａには、この包装対象物取り出し部２３に対応して一対の切込み部２１の終端である一端部２１ｄ，２１ｄより下端側の縁部２０Ｆに向かって一対の切込み線２６，２６が形成されている。
【００１５】
ここで、一対の切込み部２１，２１は、平坦部１２の差込み方向に沿ってほぼ収納部１１の間隔に相当する距離を隔てて平行して形成した２つの切込み２１ａ，２１ａと、平坦部１２の差込み時に最初に当接する両切込み２１ａ，２１ａの他端部２１ｃ，２１ｃから外方に相互に離反する方向に形成した２つの枝状の切込み２１ｂ，２１ｂとを連続的に形成することによって構成されている。なお、２つの枝状の切込み２１ｂ，２１ｂは、プラスチック成形容器１０の平坦部１２を差し込みやすくするために、終端部が丸くなる切込みになっている。
【００１６】
一対の切込み部２１，２１は、プラスチック成形容器１０の差込み時の先端となる一端部２１ｄ，２１ｄに、平坦部１２の一対の切込み部２１，２１内への差込み完了時に、平坦部１２の一端部１２Ａが一対の切込み部２１，２１の一端部２１ｄ，２１ｄから抜け出ないように第一の抜止め部１３を係止する第一の抜止め防止部２４，２４を有する。この第一の抜止め防止部２４，２４は、一対の切込み部２１，２１の一端部２１ｄ，２１ｄにおいて相互に一対の切込み部２１，２１に向かって形成した２つの切込み２１ｅ，２１ｅによって構成されている。
【００１７】
また、一対の切込み部２１，２１は、プラスチック成形容器１０の差込み時の終端となる他端部２１ｆ，２１ｆに、平坦部１２の一対の切込み部２１，２１内への差込み完了時に、平坦部１２の他端部１２Ｂに設けた２つの突起部１４ａ，１４ａが一対の切込み部２１，２１の他端部２１ｆ，２１ｆから抜け出ないように第二の抜止め部１４を係止する第二の抜止め防止部２５，２５を有する。この第二の抜止め防止部２５，２５は、２つの突起部１４ａ，１４ａに当接する２つの枝状の切込み２１ｂ，２１ｂの縁部（板厚）によって構成されている。
【００１８】
また、台紙２０は、表紙２０Ａおよび裏紙２０Ｂに所定の印刷を施し、２つの切込み２１ａ，２１ａ間は、表紙２０Ａの裏面と裏紙２０Ｂとを、２つの切込み２１ａ，２１ａと平行する線上に沿ってのり付け２０Ｘすることにより、プラスチック成形容器１０の開口部１５の封鎖する封鎖部を形成している。また、保持部２２，２２は、２つの切込み２１ａ，２１ａと平行する表紙２０Ａの両縁部２０Ｃ，２０Ｄと２つの枝状の切込み２１ｂ，２１ｂとの間の表紙２０Ａの裏面と裏紙２０Ｂとを、２つの切込み２１ａ，２１ａと平行する線上に沿ってのり付け２０Ｙ，２０Ｚすることにより、２つの切込み２１ａ，２１ａと２つの枝状の切込み２１ｂ，２１ｂとでそれぞれ連なる表紙２０Ａで形成される対向する２つの覆い部２２ａ，２２ａを有する。
【００１９】
次に、斯くして構成された本実施形態に係る包装容器の作用を説明する。
先ず、表紙２０Ａと裏紙２０Ｂとを繋ぐ折り線２０Ｅを介して表紙２０Ａと裏紙２０Ｂとを重ね、２つの切込み２１ａ，２１ａ間における表紙２０Ａの裏面と裏紙２０Ｂとを、２つの切込み２１ａ，２１ａと平行する線上に沿ってのり付け２０Ｘしてプラスチック成形容器１０の開口部１５の封鎖する封鎖部を形成すると同時に、２つの切込み２１ａ，２１ａと平行する表紙２０Ａの両縁部２０Ｃ，２０Ｄと２つの枝状の切込み２１ｂ，２１ｂとの間の表紙２０Ａの裏面と裏紙２０Ｂとを、２つの切込み２１ａ，２１ａと平行する線上に沿ってのり付け２０Ｙ，２０Ｚして２つの切込み２１ａ，２１ａと２つの枝状の切込み２１ｂ，２１ｂとでそれぞれ連なる２つの覆い部２２ａ，２２ａから成る保持部２２，２２を形成する。
【００２０】
次に、図２に示すように、プラスチック成形容器１０の収納部１１内に包装対象物（図示せず）を収納してから、一端部１２Ａを先頭としてプラスチック成形容器１０の周縁に形成された平坦部１２を、台紙２０の一対の切込み部２１に差込み、一対の切込み部２１の一端部２１ｄ，２１ｄまで嵌入し、この一端部２１ｄ，２１ｄにおいて第一の抜止め部１３と第一の抜止め防止部２４，２４とを係合させると同時に、他端部１２Ｂに設けた２つの突起部１４ａ，１４ａが一対の切込み部２１，２１の他端部２１ｆ，２１ｆから抜け出ないように第二の抜止め部１４と第二の抜止め防止部２５，２５とを係合させる。
【００２１】
以上により、プラスチック成形容器１０は、一対の切込み部２１に差し込まれるとともに、平坦部１２の前後端において、第一の抜止め部１３と第一の抜止め防止部２４，２４との係合および第二の抜止め部１４と第二の抜止め防止部２５，２５との係合により、不用意に抜け出ることがない。そして、プラスチック成形容器１０に抜け方向に力が掛かると、第一の抜止め部１３の２つの膨出部１３ｃ，１３ｃが第一の抜止め防止部２４，２４の２つの切込み２１ｅ，２１ｅに係止されるとともに、第二の抜止め部１４の２つの突起部１４ａ，１４ａが第二の抜止め防止部２５，２５の２つの枝状の切込み２１ｂ，２１ｂの縁部に係合し、プラスチック成形容器１０が一対の切込み部２１から抜け出ないように阻止することができる。
【００２２】
従って、本実施形態によれば、プラスチック成形容器１０を台紙２０の一対の切込み部２１に差し込むという操作だけで、プラスチック成形容器１０を安定的に台紙２０に保持することが可能となる。
〔第二実施形態〕
図７ないし図１０は、本発明の第二実施形態に係る包装容器を示す（請求項１，３に対応する）。
【００２３】
本実施形態に係る包装容器１Ａは、プラスチック成形容器１０Ａが第二の抜止め部１４の２つの突起部１４ａ，１４ａの斜面にそれぞれ凹部１４ｘ，１４ｘを設けた点で、第一実施形態に係る包装用容器１とは相違する。従って、その他の説明は省略する。
本実施形態においても、第一実施形態と同様に、プラスチック成形容器１０Ａは、一対の切込み部２１に差し込まれるとともに、平坦部１２の前後端において、第一の抜止め部１３と第一の抜止め防止部２４，２４との係合および第二の抜止め部１４と第二の抜止め防止部２５，２５との係合により、不用意に抜け出ることがない。
【００２４】
そして、プラスチック成形容器１０Ａに抜け方向に力が掛かると、第一の抜止め部１３の２つの膨出部１３ｃ，１３ｃが第一の抜止め防止部２４，２４の２つの切込み２１ｅ，２１ｅに係止されるとともに、第二の抜止め部１４の２つの突起部１４ａ，１４ａの凹部１４ｘ，１４ｘが第二の抜止め防止部２５，２５の２つの枝状の切込み２１ｂ，２１ｂの縁部に係合し、プラスチック成形容器１０Ａが一対の切込み部２１から抜け出ないように阻止することができる。
【００２５】
本実施形態によれば、第二の抜止め部１４の２つの突起部１４ａ，１４ａの凹部１４ｘ，１４ｘが第二の抜止め防止部２５，２５の２つの枝状の切込み２１ｂ，２１ｂの縁部に係合し、プラスチック成形容器１０Ａが一対の切込み部２１から抜け出ないように阻止することができるので、第一実施形態における面的な係合に比し、凹部１４ｘ，１４ｘが２つの枝状の切込み２１ｂ，２１ｂの縁部に食い込むような機械的な結合状態となり、より強固な抜止め構造を得ることが可能となる。
【図面の簡単な説明】
【００２６】
【図１】本発明の第一実施形態に係る包装容器を示す斜視図である。
【図２】本発明の第一実施形態に係る包装容器においてプラスチック成形容器を差し込む状態を示す斜視図である。
【図３】本発明の第一実施形態に係る包装容器に用いるプラスチック成形容器を示す斜視図である。
【図４】本発明の第一実施形態に係る包装容器に用いるプラスチック成形容器（ただし、収納部を除く）を示す平面である。
【図５】本発明の第一実施形態に係る包装容器に用いる台紙を展開して示す平面図である。
【図６】本発明の第一実施形態に係る包装容器の裏紙を外した状態で示す表紙の裏面図である。
【図７】本発明の第二実施形態に係る包装容器においてプラスチック成形容器を差し込む状態を示す斜視図である。
【図８】本発明の第二実施形態に係る包装容器に用いるプラスチック成形容器を示す斜視図である。
【図９】本発明の第二実施形態に係る包装容器に用いるプラスチック成形容器（ただし、収納部を除く）を示す斜視図である。
【図１０】本発明の第二実施形態に係る包装容器の裏紙を外した状態で示す表紙の裏面図である。
【符号の説明】
【００２７】
１，１Ａ  包装容器
１０，１０Ａ  プラスチック成形容器
１１  収納部
１２  平坦部
１２Ａ  一端部
１２Ｂ  他端部
１２Ｘ  軸線
１３  第一の抜止め部
１３ａ  突起部
１３ｂ  根本部
１３ｃ  膨出部
１４  第二の抜止め部
１４ａ  突起部
１４ｘ  凹部
１５  開口部
２０  台紙
２０Ａ  表紙
２０Ｂ  裏紙
２０Ｘ，２０Ｙ，２０Ｚ  のり付け
２１  一対の切込み部
２１ａ  切込み
２１ｂ  枝状の切込み
２１ｃ  他端部
２１ｄ  一端部
２２  保持部
２２ａ  覆い部
２３  包装対象物取り出し部
２４  第一の抜止め防止部
２５  第二の抜止め防止部
２６  切込み線
【図１】
2005029244.tif 000003
【図２】
2005029244.tif 000004
【図３】
2005029244.tif 000005
【図４】
2005029244.tif 000006
【図５】
2005029244.tif 000007
【図６】
2005029244.tif 000008
【図７】
2005029244.tif 000009
【図８】
2005029244.tif 000010
【図９】
2005029244.tif 000011
【図１０】
2005029244.tif 000012